(57)【要約】【課題】  個人の停車スペース或いは車庫内に取り付けて使用され、蓋体を開放時の箱体内部の自動照明機能を具えて、物品を取り出すのに便利である、停車スペース用収容箱の提供。【解決手段】  サポートフレーム或いは壁面に取付可能な箱体と蓋体で構成され、箱体と蓋体がガラス繊維材料でそれぞれ一体成形されてなり、並びに箱体内部に照明構造が設けられ、蓋体内部に磁石が設けられ、蓋体閉合時に該磁石に対応する位置にリードスイッチが設けられ、蓋体開放時に磁石がリードスイッチより離れて照明装置の発光ダイオードにより箱体内部を自動照明する。【選択図】        図１
0003106168.tif 000002
【実用新案登録請求の範囲】
【請求項１】
サポートフレーム或いは壁面に取付可能な箱体と蓋体で構成された停車スペース用収容箱において、
該箱体と蓋体がガラス繊維材料でそれぞれ一体成形されてなり、該箱体と蓋体の上端の接続部分がヒンジで接続されて蓋体が開閉自在とされ、該箱体の内部に照明構造が設けられ、該照明構造が、少なくとも、発光ダイオード、電池及びリードスイッチで構成され、該蓋体の内部に磁石が設けられ、蓋体閉合時に該磁石が上述のリードスイッチに対応することを特徴とする、停車スペース用収容箱。
【請求項２】
請求項１記載の停車スペース用収容箱において、箱体と蓋体の間の両側に気圧伸縮棒が設けられ、蓋体が開放時に該気圧伸縮棒により開放状態を保持することを特徴とする、停車スペース用収容箱。
【考案の詳細な説明】
【技術分野】
【０００１】
本考案は一種の停車スペース用収容箱に係り、特に、もともとある停車スペースの上方或いは車庫内に取付られる個人専用の収容箱であり、構造が簡単で、節電でき、使用に便利な照明構造を具えたものに関する。
【背景技術】
【０００２】
一般に自動車内にはしばらく使用しない物品（例えば洗浄用或いは修理用工具、或いは幼児用歩行器、スライドボード、ゴルフバッグ、自転車等）が置かれ、車内空間を占拠するだけでなく、車両自身の負担を増しガソリンの浪費を形成する。また体積が大きく、重く、貴重な物品を始終家から運び出したり家に運び入れたりしなければならないとなると、非常に面倒で且つ生活品質に影響を与えることになる。ゆえに、個人停車スペースに収容箱があれば、使用に便利でガソリンの浪費を軽減でき、生活品質を向上できる。
【考案の開示】
【考案が解決しようとする課題】
【０００３】
本考案の主要な目的は、一種の停車スペース用収容箱を提供することにあり、それは、ガラス繊維材料で製造された簡易な収容箱構造であり、且つ構造が簡単で、節電型で、使用に便利な照明構造を具えた収容箱であるものとする。
【課題を解決するための手段】
【０００４】
請求項１の考案は、サポートフレーム或いは壁面に取付可能な箱体と蓋体で構成された停車スペース用収容箱において、
該箱体と蓋体がガラス繊維材料でそれぞれ一体成形されてなり、該箱体と蓋体の上端の接続部分がヒンジで接続されて蓋体が開閉自在とされ、該箱体の内部に照明構造が設けられ、該照明構造が、少なくとも、発光ダイオード、電池及びリードスイッチで構成され、該蓋体の内部に磁石が設けられ、蓋体閉合時に該磁石が上述のリードスイッチに対応することを特徴とする、停車スペース用収容箱としている。
請求項２の考案は、請求項１記載の停車スペース用収容箱において、箱体と蓋体の間の両側に気圧伸縮棒が設けられ、蓋体が開放時に該気圧伸縮棒により開放状態を保持することを特徴とする、停車スペース用収容箱としている。
【考案の効果】
【０００５】
本考案の停車スペース用収容箱は使用に便利で、収容箱をきれいに保つことができ、停車スペースの利用価値を増し、更に、簡単な構造の、節電型で、使用に便利な照明構造を具えている。本考案は実用性、進歩性を具え、その構造は新規性を有している。なお、本考案に基づきなしうる細部の修飾或いは改変は、いずれも本考案の請求範囲に属するものとする。
【考案を実施するための最良の形態】
【０００６】
本考案は箱体と蓋体がそれぞれガラス繊維材料を一体成形して形成され、並びに該箱体と蓋体の接続部分にヒンジが設けられて開放或いは閉合自在とされ、且つ蓋体内部に照明構造が設けられ、該照明構造は発光ダイオード、電池及びリードスイッチを少なくとも具え、別に蓋体内部に磁石が設けられ、それが蓋体の閉合時に上述のリードスイッチの位置に対応する。
【０００７】
以上の構造が組み合わされ使用される時、蓋体が閉じられる時、その磁石がリードスイッチに対応してリードスイッチをオフ状態となす。また蓋体を開放する時、磁石がリードスイッチより離れてリードスイッチをオン状態となし、該照明装置の発光ダイオードを点灯させて、自動的に箱体内部を照明させ、これにより物品の取り出し、使用に便利とされる。
【実施例１】
【０００８】
図１から図４に示されるように、本考案の停車スペース用収容箱１は、個人の停車スペース２の上方或いは車庫壁面に取付可能で、それは箱体１１と蓋体１２で構成され、該箱体１１の開口部分に蓋体１２が枢設されている。
【０００９】
該該箱体１１と蓋体１２はそれぞれガラス繊維材料を一体成形して形成され、並びに該箱体１１と蓋体１２の上端の接続部分がヒンジ１３で接続されて蓋体１２が上向きに開放、或いは下向きに閉合可能とされ、且つ箱体１１内部に照明構造３０が設けられ、該照明構造３０は、少なくとも発光ダイオード３１、電池３２及びリードスイッチ３３で構成された制御回路を具え（図４）、別に蓋体１２内部に磁石３４が設けられ（図２、３）、蓋体１２閉合時に該磁石３４は上述のリードスイッチ３３の位置に対応する。
【００１０】
また、本実施例中、箱体１１と蓋体１２の間の両側に気圧伸縮棒１４が設けられ、蓋体１２が開放される時に該蓋体１２を支持して開放状態を維持させる。また、蓋体１２の前面の中央に留め具１５が設けられ、安全性とプライバシー保護機能を具備するものとされている。
【００１１】
以上の構造が組み合わされて使用される時、もともとある停車スペース２の空間に収容箱１が取付られ、随時車内の物品或いはしばらく不使用の物品の収納に供され、これにより車両の負担を軽減してガソリンを節約させる。このほか、照明構造３０は蓋体１２に伴い移動する磁石３４のリードスイッチ３３との対応或いは不対応を利用して発光ダイオード３１を点灯或いは滅灯させ、これによりその構造が簡単で、電池３２の使用時間が長くなり、経済性を有し最良の利用価値を発揮できる。
【図面の簡単な説明】
【００１２】
【図１】本考案の立体分解図である。
【図２】本考案の立体組合せ図である。
【図３】本考案の側面組合せ図である。
【図４】本考案の照明構造の電気回路表示図である。
【符号の説明】
【００１３】
１  収容箱                        ２  停車スペース
１１  箱体                        １２  蓋体
１３  ヒンジ                      １４  気圧伸縮棒
１５  留め具                      ３０  照明構造
３１  発光ダイオード              ３２  電池
３３  リードスイッチ              ３４  磁石
【図１】
0003106168.tif 000003
【図２】
0003106168.tif 000004
【図３】
0003106168.tif 000005
【図４】
0003106168.tif 000006